(57)【特許請求の範囲】
【請求項１】
建物の適宜の箇所に配設された給湯栓に接続した循環湯路と、該循環湯路に設けた膨張タンクと、該建物の地下室、低層階又は地上に設置された大気圧開放式昇温貯湯槽と、該貯湯槽で加熱された加熱湯を加圧して該循環湯路の給湯管に設けた分岐管から補給する加圧供給手段と、該加圧供給手段の後流側分岐路に設けた減圧弁と、該循環湯路の返湯管に設けた返湯ポンプと、該返湯管の湯を加熱して給湯温度を制御する加熱制御手段とを具備し、前記加熱制御手段は熱交換器の１次側に前記貯湯槽の加熱湯を循環させ、二次側に返湯を循環させ、一次側の加熱湯流量を制御して給湯温度を一定温度に保持する制御をすることを特徴とする給湯システム。
【請求項２】
前記加熱制御手段は、熱交換器の二次側の出口温度を検出し、その検出温度に基づいて一次側の加熱流量を制御し、熱交換機の二次側の入口温度を検出し、その検出温度に基づいて二次側の返湯流量を制御することを特徴とする請求項１に記載の給湯システム。
【請求項３】
前記加圧供給手段は、給湯ポンプ、逆止め弁を具備していることを特徴とする請求項１又は請求項２の何れか１に記載の給湯システム。
【請求項４】
前記加圧供給手段は、前記給湯ポンプの下流側圧力を検知する圧力検知手段を具備し、検知された圧力信号に基づいて前記給湯ポンプをオンオフ制御することを特徴とする請求項１〜請求項３の何れか１に記載の給湯システム。
【請求項５】
前記給湯システムは、さらに、前記大気圧開放式昇温貯湯槽内の水位を検知し、その検知水位に基づき各ポンプの取水水位を下回らないように水位があるレベル以下になった場合には該ポンプを停止し、ポンプの空転を防ぎ、ポンプを保護するシステムを具備することを特徴とする請求項１〜請求項４の何れか１に記載の給湯システム。
【請求項６】
前記給湯システムは、さらに、前記大気圧開放式昇温貯湯槽内の温度を検知し、異常高温になった場合は加熱源からの加熱を停止し、該貯湯槽から取水するポンプを停止し、該貯湯槽及び該ポンプ及び配管を保護するシステムを具備することを特徴とする請求項１〜請求項５の何れか１に記載の給湯システム。
【発明の詳細な説明】
【０００１】
【発明の属する技術分野】
この発明は、給湯システムの技術分野に属する。更に、具体的には大気圧開放式昇温貯湯槽を使用した中央管理方式の給湯システムの技術分野に関する。
【０００２】
【従来の技術】
従来から、給湯システムは、その規模、用途により種々の方式のシステムが提案されている。建物内で使用する大規模な給湯システムとしては、例えば、建物の機械室に給湯ボイラー、貯湯タンクなどの大型加熱器を設け、器具の給湯栓を開くと一様な温度の湯が直ちに出るようにするために、給湯管と返湯管を設け、貯湯タンクから出た湯を給水圧で供給すると共に循環ポンプを用いて強制的に循環させ、配管内の熱損失分を補う複管式が従来から使用されている。この他にも種々の方式の給湯システムが提案されているが、以下に本願発明に最も近いと思われる従来の給湯システムについて説明する。
【０００３】
図３はこの様な従来の給湯システムの１例（以下、従来システム１という）を示した図である。図３において、温水ボイラ３１は、例えば、無圧開放式ボイラ又は真空ヒータである。温水ボイラ３１内の水はバーナー等の加熱源３２により加熱され、加熱された高温湯は湯管３３を通って貯湯槽３４内に配設されている加熱コイル３０を通り、循環ポンプ３５、湯管３６を経て温水ボイラ３１に戻る。貯湯槽３４は密閉式のタンクで、頭部に給湯口３７が設けられており、下部には返湯口３８及び給水口３９が設けられている。また、貯湯槽３４の適宜の位置に安全弁４０が設けられている。
【０００４】
給湯口３７から流出する給湯は、シャワーヘッド、カラン等の給湯栓４２ａ〜４２ｄが接続されている給湯管４１を流れ、返湯ポンプ４３により返湯管４４を通って、返湯口３８から貯湯槽３４に帰還する。また、給湯管４１には膨張タンク４６が設けられており、これによって給湯管内の水温の変化による圧力上昇又は下降した場合の圧力変動を吸収し、配管に許容値以上の圧力が作用するのを防止している。
【０００５】
給水管４７は図示されていない水道栓等に接続されており、貯湯槽の湯量が減少した場合は給水口３９から補給される。貯湯タンク３４の給水口付近に温度検出器４９が配設されており、その出力はコントローラ４８の入力端子に接続されている。コントローラ４８の出力端子バーナ３２及び循環ポンプ３５に接続されている。コントローラ４８は温度検出器４９により検出された給湯温度に基づいて循環ポンプ３５及び流量制御弁５２を制御する。バーナ３２はボイラ内缶水温度に基づいて制御する。
【０００６】
また、返湯温度を検出する温度検出器５１が返湯ポンプ４３の下流に設けられており、温度検出器５１の出力はコントローラ５０の入力端子に接続されている。コントローラ５０の出力端は返湯ポンプ４３に接続されている。コントローラ５０は返湯管４４内の湯温度が下がった場合に返湯ポンプ４３を作動させて、給湯管４１及び返湯管４４内の湯温度を一定に維持する。
【０００７】
従来システム１は以上の様な構成で以下のように作用する。即ち、貯湯槽３４は給水管４７の圧力によって、加圧した状態で湯水が満たされる。貯湯槽内の水は温水ボイラ３１からの高温湯により加熱コイル３０を介して加熱され、加熱された湯は給湯口３７から給湯管４１を通って、給湯栓４２に供給される。給湯栓４２で湯が使用され、貯湯槽内の湯が減少すると給水管４７から給水が行われ、所定の湯量が蓄えられる。
【０００８】
給湯の温度は温度検出器４９により検出され、コントローラ４８が循環ポンプ３５にオン信号を出力し、高温湯を循環させて貯湯槽内の湯を所定温度に加熱する。温水ボイラ３１内の湯はオンオフ制御又はスケジュール制御によりバーナ３２を点火させて高温度に維持されている。また、返湯管内の湯が長時間の不使用により温度が下がった場合は温度検出器５１により検出されて、コントローラ５０は返湯ポンプ４３にオン信号を出力して給湯管４１と返湯管４４の湯を循環させる。これによって、給湯管４１と返湯管４４内の湯が貯湯槽３４内の湯の温度と等しくなる。この結果、給湯温度は所定温に維持される。
【０００９】
図４は別の給湯システムで（以下、従来システム２という）、従来システム１とほぼ同じである。温水ボイラの代わりに蒸気ボイラ６０を使用している点が主に異なる。以下、相異する点について説明する。同じ部分は同一の参照番号を付して説明を省略する。蒸気ボイラ６０で加熱された高温蒸気は配管６１を通って加熱コイル６２に流れ、トラップ６３で凝縮した水滴が分離されて、凝縮水が配管６４から蒸気ボイラ６０に帰還する。コントローラ６５は温度検出器４９の温度により流量制御弁６７を制御している。バーナ３２は蒸気ボイラーの缶内圧力により制御している。
【００１０】
給湯管４１に開放式膨張タンク６６が配設されているが、これは従来システム１における密閉式膨張タンク４６と同じ働きをするタンクである。従って、開放式膨張タンクの代わりに密閉式膨張タンクを使用してもよい。従来システム２は以上の様な構成であり、その作用は従来システム１と同様であり、説明を省略する。
【００１１】
図５は大気圧開放式昇温貯湯槽を使用した従来の給湯システムの１例（以下、従来システム３という）である。従来システム１、２と同一の構成部分については同じ参照番号を付して詳細な説明を省略する。図５において、大気圧開放式昇温貯湯槽７０は全ての給湯栓４２ａ〜４２ｄよりも上のＬ−Ｌレベル、例えば建物の上層階に設置する。大気圧開放式昇温貯湯槽７０には、給湯管７１が接続されており、給湯管７１を流通する給湯は各給湯栓４２ａ〜４２ｄに接続されていると共に、返湯ポンプ７２により返湯管７３を通って大気圧開放式昇温貯湯槽７０に帰還する。
【００１２】
大気圧開放式昇温貯湯槽７０内の湯は電気ヒータ、燃焼バーナ等の加熱源７４により加熱される。また、貯湯槽７０の湯の水位がレベル検出器７５により検出され、水位信号はコントローラ７６に送られる。コントローラ７６は水位信号に基づいて給水管８２に配置された流量制御弁７７に制御信号を送り、給水量を制御して湯の水位を一定に保つように制御する。ボイラ７０内の湯温度は温度検出器７８により検出され、温度信号はコントローラ７９に送られ、コントローラ７９はこの温度信号に基づいて加熱手段７４を制御して湯温度を一定に維持する。返湯管７３に配置された返湯温度検出器８０は返湯管７３内の湯温度を検出し、温度信号をコントローラ８１に送出する。コントローラ８１はこの温度信号に基づいて返湯ポンプ７２の作動を制御する。
【００１３】
従来システム３は以上のように構成されており、以下のように作用する。即ち、
加熱源７４により一定温度に加熱された給湯は重力によって給湯管７１内を下降し、給湯栓４２ａ〜４２ｄから流出する。給湯栓が全て閉められている場合は、給湯管中に滞留する。この場合は、自然放熱により給湯水の温度が下がり、コントローラ８１は返湯ポンプ７２を作動させて管路内の湯を循環させる。また、大気圧開放式昇温貯湯槽７０内の湯温度、水位はコントローラ７９及び７６により一定に維持される。
【００１４】
【発明が解決しようとする課題】
以上に説明したように、従来システム１、２のような密閉式貯湯タンクを使用している給湯方式は、ボイラ自体の構造が複雑になり、メンテナンスや内部の掃除に困難が伴うという課題があり、場合によってはボイラ運転者に特別の教育や資格が必要となり、人員確保の上からも課題があった。また、貯湯槽のメンテナンスや掃除が困難であるほかに、圧力容器としての点検も受ける必要があり課題であった。さらに、ボイラと給湯槽と両方を設置するため、スペースの点からも設置費用の面からも課題があった。
【００１５】
従来システム３のような大気圧開放式昇温貯湯槽を使用した従来の給湯システムでは下向き給湯方式が採用されるため、上層階に昇温貯湯槽を設置する必要があること、また、運転時の大気圧開放式昇温貯湯槽の重さが給湯水を貯蓄するために重くなり、建物の構造を強度にしなければならず、建築費が高くなるという課題があった。特に、地震に対する耐震強度を強くする上で大きな課題があった。
【００１６】
この発明は、上述のような背景の下になされたもので、メンテナンスや掃除等も簡単で、かつ、所要スペースが少なく地下や下層階に設置可能な給湯システムを提供することを目的としている。
【００１７】
【課題を解決するための手段】
上記課題を解決するために本発明の給湯システムは以下の手段から構成されている。即ち、請求項１に記載の給湯システムは、建物の適宜の箇所に配設された給湯栓に接続した循環湯路と、該循環湯路に設けた膨張タンクと、該建物の地下室、低層階又は地上に設置された大気圧開放式昇温貯湯槽と、該貯湯槽で加熱された加熱湯を加圧して該循環湯路の給湯管に設けた分岐管から補給する加圧供給手段と、該加圧供給手段の後流側分岐路に設けた減圧弁と、該循環湯路の返湯管に設けた返湯ポンプと、該返湯管の湯を加熱して給湯温度を制御する加熱制御手段とを具備し、前記加熱制御手段は熱交換器の１次側に前記貯湯槽の加熱湯を循環させ、二次側に返湯を循環させ、一次側の加熱湯流量を制御して給湯温度を一定温度に保持する制御をすることを特徴としている。
本請求項の給湯システムは、大気圧開放式昇温貯湯槽を建物の地下室、低層階又は地上に設置し、大気圧開放式昇温貯湯槽内の温湯を加圧供給手段により加圧して給湯管に接続されている給湯栓に強制的に給湯を行うと共に、循環湯路の湯温度を加熱制御手段により制御することを主な特徴としている。
【００１９】
請求項２に記載の給湯システムは、請求項１に記載の給湯システムにおいて、前記加熱制御手段は、熱交換器の二次側の出口温度を検出し、その検出温度に基づいて一次側の加熱流量を制御し、熱交換機の二次側の入口温度を検出し、その検出温度に基づいて二次側の返湯流量を制御することを特徴としている。
【００２０】
請求項３に記載の給湯システムは、請求項１又は請求項２に記載のシステムにおいて、前記加圧供給手段は、給湯ポンプ、逆止め弁を具備していることを特徴としている。
本請求項の給湯システムは、大気圧開放式昇温貯湯槽からの給湯を給湯ポンプにより加圧し、分岐管の分岐点から給湯管に給湯を供給すると共に、給湯ポンプの運転停止時においても給湯管から逆流を防止することを主な特徴としている。
【００２１】
請求項４に記載の給湯システムは、請求項１〜請求項３に記載のシステムにおいて、前記加圧供給手段は、前記給湯ポンプの二次側圧力を検知する圧力検知手段を具備し、検知された圧力信号に基づいて前記給湯ポンプをオンオフ制御することを特徴としている。本請求項の給湯システムでは給湯管に供給する給湯を所定圧力に制御することを主な特徴としている。
【００２２】
請求項５に記載の給湯システムは、請求項１〜請求項４に記載のシステムにおいて、さらに、前記大気圧開放式昇温貯湯槽内の水位を検知し、その検知水位に基づき各ポンプの取水水位を下回らないように水位があるレベル以下になった場合には該ポンプを停止し、ポンプの空転を防ぎ、ポンプを保護するシステムを具備していることを特徴としている。
本請求項の給湯システムはポンプ保護システムを設けたことを主な特徴としている。
【００２３】
請求項６に記載の給湯システムは、請求項１〜請求項５に記載のシステムにおいて、さらに、前記大気圧開放式昇温貯湯槽内の温度を検知し、異常高温になった場合は加熱源からの加熱を停止し、該貯湯槽から取水しているポンプを停止し、該貯湯槽及び該ポンプ及び配管を保護するシステムを具備していることを特徴としている。
【００２４】
【発明の実施形態】
以下、図を参照してこの発明の実施形態について説明する。図１は本発明の実施形態の構成を示した図である。図２は説明のために、本実施形態の主要部を拡大した詳細図である。以下、従来システムの説明で既に述べたと同じ構成要素については同一の参照番号を付して詳細な説明は省略する。
【００２５】
図１及び２において、大気圧開放式昇温貯湯槽７０は地下室の床又は地上等に架台２の上に載置されている。大気圧開放式昇温貯湯槽７０の上側はカバー（図示省略）で覆われている。大気圧開放式昇温貯湯槽７０には電気ヒータ等の加熱源７４が設けられている他、給水管８２が接続されており、加圧ポンプユニット３に接続するため配管４が接続されている。
【００２６】
熱交換器５の１次側加熱パイプ５ａに大気圧開放式昇温貯湯槽７０からの高温湯を循環流通させるための配管６、６が接続されている。配管６内の高温湯を循環流通させるために循環ポンプ７が配管６に設けられている。大気圧開放式昇温貯湯槽７０の水位を一定に制御するために、水位検出器７５の出力がコントローラ８の入力端に接続され、コントローラ８の出力端は流量制御弁７７に接続されており、流量を制御している。
【００２７】
水位検出器７５は電極棒或いはフロートスイッチ等から構成されている。コントローラ８は水位を一定にするために制御を行う他に、何らかの異常発生により水位が異常に低くなった場合は警報制御も行う。即ち、水位検出器７５により異常水位が検出されたときは、コントローラ８は異常水位をオペレータに警報する。また、異常低水位が検出されたときはポンプを停止し、空転防止を行う。
【００２８】
さらに、大気圧開放式昇温貯湯槽７０内の貯湯温度を検出するための湯温度検出器９と貯湯の異常温度上昇を検出するためのサーモスタット１０とが配設されている。これらの出力はコントローラ１１の入力端子に接続されており、コントローラ１１の出力端子は電気ヒータ７４の制御端子に接続されている。コントローラ１１は貯湯温度を一定に保つように制御する他に、サーモスタット１０が異常温度を検出したときは電気ヒータ７４を完全にオフにするようにプログラムされている。完全にオフにされた場合は異常温度の警報を発生する。貯湯温度が下がっても電気ヒータ７４はオフのまま保持する。
【００２９】
加圧ポンプユニット３は、加圧ポンプ１３、逆止め弁１４及び圧力センサ（圧力スイッチでもよい）１５から構成されている。加圧ポンプ１３は大気圧開放式昇温貯湯槽７０からの給湯を加圧して配管２３に供給する。圧力センサ１５は加圧ポンプ１３の配管内圧を検出し、検出された圧力信号をコントローラ１８に入力し、コントローラ１８が吐出圧を略一定にするように加圧ポンプ１３を制御している。この制御はオンオフ制御であってもよく又は他の制御でもよい。逆止め弁１４は配管２３からの給湯の逆流を防止する。加圧ポンプ１３の停止時にはポンプ１３の出力側圧力も低下するが、逆止め弁１４により逆流が防止される。
【００３０】
加圧ポンプユニット３の下流の配管２３に減圧弁１６が配設され、減圧弁１６の出力側が給湯管４１に接続されている。加圧ポンプユニット３からの給湯の圧力は加圧ポンプの運転時、停止時によって異なり、圧力が変動する。減圧弁１６はこの圧力変動をなくして一定圧の給湯を給湯管４１に供給する。即ち、給湯側に圧力変動があると混合栓を使用した場合等給湯栓の圧力と給水栓の圧力のバランスがくずれて、混合した給湯の湯温度が変動して好ましくないので、これを防止している。
【００３１】
加圧ポンプユニット３の下流で、減圧弁１６の上流の配管２３に分岐管１９を設け、分岐管１９に安全弁２０が設けられている。安全弁２０の逃げ口側は配管２１により大気圧開放式昇温貯湯槽７０の上側適宜の位置に接続されている。従って、加圧ポンプユニット３の出力側圧力が異常に高圧になった場合は安全弁が作動して高圧湯を大気圧開放式昇温貯湯槽に逃がして圧力を下げ、加圧ポンプユニットの出力側が危険な圧力にまで上昇するのを防止している。なお、安全弁２０の代わりにレリーフ弁を使用してもよい。
【００３２】
熱交換器５の２次側５ｂは各々返湯管４４及び給湯管４１に接続されており、返湯管４４より流入した湯は熱交換器５により加熱された後に給湯管４１に流出する。熱交換器５の２次側の入口及び出口に湯温を検出する湯温検出器２４及び２５が設けられている。湯温検出器２４の出力はコントローラ２７の入力端に接続されており、コントローラ２７の出力端は返湯ポンプ４３の制御端に接続されている。コントローラ２７は返湯管４４内の湯温度が低下した場合に返湯ポンプ４３を作動させて、返湯管４４及び給湯管４１内の湯を循環させると共に、熱交換器５内を流通させて循環湯を加熱する。
【００３３】
一方、湯温検出器２８の出力はコントローラ２８の入力端に接続されており、コントローラ２８の出力端は循環ポンプ７の制御端に接続されている。コントローラ２８は熱交換器５の２次側出口温度が低い場合は循環ポンプ７を作動させて、加熱パイプ５ａを流れる高温の加熱湯温度を上昇させる。また、給湯管４１または返湯管４４に密閉式膨張タンク４６が設けてあり、給湯の温度変化による配管４１、４４内の圧力上昇を許容値以下に押さえている。なお、密閉式膨張タンクの代わりに開放式膨張タンクを配管４１の上部に設けてもよい。
【００３４】
本実施形態は以上のように構成されており、以下のように作用する。即ち、大気圧開放式昇温貯湯槽７０で加熱された湯は配管４を流れ、加圧ポンプユニット３により加圧され、減圧弁１６により所定の圧力まで減圧した後に給湯管４１に供給される。給湯管４１に供給された給湯は給湯栓４２ａ〜４２ｄを経て返湯ポンプ４３に至る。返湯ポンプ４３は返湯を熱交換器５の中を通過させて、図１の矢印方向に循環する。この循環の間に給湯は熱交換器５で加熱される。コントローラ２７及び２８は返湯ポンプ４３及び循環ポンプ７を制御して、給湯を略一定温度に制御する。この温度は大気圧開放式昇温貯湯槽７０内の給湯水温度と略等しい。
【００３５】
給湯栓４２ａ〜４２ｄより給湯が使用されると給湯管内の圧力は下がり、その結果、減圧弁１６の２次側（出力側）圧力も下がる。減圧弁１６の１次側圧力が下がった場合は、この圧力低下は圧力センサ１５によって検出され、コントローラ１８が加圧ポンプ１３をオンにして大気圧開放式昇温貯湯槽から給湯を供給する。従って、給湯が使用されると給湯水が加圧ポンプユニット３によって大気圧開放式昇温貯湯槽７０から補充される。
【００３６】
また、給湯が使用されると大気圧開放式昇温貯湯槽７０の水位は下がり、水位の減少が水位検出器７５によって検出され、コントローラ８が流量制御弁７７を開き、湯水量が補充されて略一定に維持される。給水および自然放熱により大気圧開放式昇温貯湯槽７０内の湯温度は下がる。この温度の下降は湯温度検出器９により検出され、コントローラ１１がこの温度下降に基づいて加熱源７４をオンにして大気圧開放式昇温貯湯槽内の温度は略一定に保たれる。
【００３７】
以上のように、この実施形態の給湯システムは通常時はうまく制御されている。又、異常が発生した場合、例えば、給湯の使用量が異常に多くなったり、大気圧開放式昇温貯湯槽７０への給水がストップした場合等の事態が生じ、水位が異常に下がった場合はコントローラ８は異常警報を発生すると共に加熱源７４、ポンプ３及びポンプ７を停止する。また、大気圧開放式昇温貯湯槽７０内の温度が異常に上昇した場合はコントローラ１１が異常警報を発生すると共に加熱源７４をオフにして危険状態の発生を防止している。給湯管４１に供給される給湯圧力が異常に上昇した場合は安全弁２０が開いて危険事態の発生を防止している。
【００３８】
以上、この発明の実施形態、実施例を図面により詳述してきたが、具体的な構成はこの実施例に限られるものではなく、この発明の要旨を逸脱しない範囲の設計の変更等があってもこの発明に含まれる。例えば、コントローラは個別に設ける代わりに全体を１個のコンピュータで制御してもよい。また、減圧弁１６の代わりに絞り弁を使用した場合は上記実施形態に比べて性能は劣るが本願発明の範囲に属する。さらに、制御方式は上記したものに限られず、他の方式を採用してもよい。また、大気圧開放式昇温貯湯槽も地下室又は地上に設置する場合に限られず、他の事情により２階又は３階に設置してもよい。
【００３９】
この実施形態は上記の構成及び作用をするので以下の効果を有する。即ち、大気圧開放式昇温貯湯槽を使用し、加圧供給手段によって給湯をしているので、地下室や屋外にも設置可能で、設置場所の確保が容易になり、建物の構造を特別に強固にする必要もなく設置が容易となり、建設費、設置費用が安価になる。大気圧開放式昇温貯湯槽が貯湯槽とボイラの役割も兼用しているので装置全体がコンパクトになる。さらに、装置全体のメンテナンス、掃除等が比較的容易になる。また、法規上の規制がないことやこのことによって、オペレータに特別の教育や資格を必要とせず、人員の確保が容易になる。
【００４０】
また、装置全体に高圧部分がなく取り扱いが容易で、圧力容器の検査の必要もない。異常事態の発生を防止するように水位制御、温度制御、圧力制御が行われており、さらに、異常事態が発生したときは警報を発生し、オペレータに報せると共に運転を停止するように制御しているので、安全な運転操作が可能である。
【００４１】
【発明の効果】
以上説明したように、この発明の構成によれば、請求項１記載の発明は、大気圧開放式昇温貯湯槽を使用し、加圧供給手段によって給湯をしているので、設置場所の制限が緩やかである。従って、設置場所の確保が容易になるという効果がある。さらに、地下室又は屋外に設置すれば、建物の構造が簡単になり、地震の対策も容易になるため、建物の建設費、設置の工事費が安価になるという効果がある。大気圧開放式昇温貯湯槽が貯湯槽とボイラの役割も兼用しているので装置全体がコンパクトになる他に、メンテナンス、掃除が容易になるという効果がある。
【００４２】
請求項２、３に記載の発明は、さらに熱交換器の加熱源としてボイラの加熱湯を利用していることから、別個の加熱源を必要とせず、設備費、運転費が安価になり、装置もコンパクトになるという効果がある。
【００４３】
請求項４記載の発明は、さらに逆止め弁を接続しているため給湯ポンプの運転停止時も逆流の防止をしており、長時間給湯を使用しない場合でも給湯管内の圧力が下がらないので、給湯の供給が円滑にできるという効果がある。
【００４４】
請求項６又は７記載の発明は、異常事態の発生に対し保護システムを具備しているので安全な運転が可能になるという効果がある。
【図面の簡単な説明】
【図１】  本願発明の実施形態の全体構成を示した図である。
【図２】  図１の実施形態の要部を拡大して示した図である。
【図３】  従来の給湯システムの１例を示した図である。
【図４】  従来の別の給湯システムの１例を示した図である。
【図５】  従来の更に別の給湯システムの１例を示した図である。
【符号の説明】
３        加圧ポンプユニット（加圧供給手段）
５        熱交換器（加熱制御手段）
７        循環ポンプ（加熱制御手段）
８        水位コントローラ
１１        温度コントローラ
１３        加圧ポンプ（給湯ポンプ）
１４        逆止め弁
１５        圧力センサ
１６        減圧弁
２０        圧力安全弁
２７        給湯ポンプコントローラ
２８        循環ポンプコントローラ
４１        給湯管（循環湯路）
４２ａ〜４２ｄ    給湯栓
４３        返湯ポンプ
４４        返湯管（循環湯路）
４６        密閉式膨張タンク
７０        大気圧開放式昇温貯湯槽
７４        電気ヒータ（加熱源）
７５        水位検出器
７７        流量制御弁
【図１】
0003775705.tif 000002
【図２】
0003775705.tif 000003
【図３】
0003775705.tif 000004
【図４】
0003775705.tif 000005
【図５】
0003775705.tif 000006